(57)【要約】【課題】所定の部品を取り付けるために用いられるブラケットの強度をより確保すること。【解決手段】車両に搭載される燃料タンク等の取り付けに用いられ、端面（横断面）がハット形状であり、金属製の長尺板材をＬ字型に曲折した部品取付ブラケット１であって、ハット形状の端面を被覆する蓋部材８を有する。蓋部材８は、ハット形状の端面から延出し、取り付け対象の部品から遠ざかる方向に湾曲した湾曲部９を有している。【選択図】図３
2018114883.tif 000002
【特許請求の範囲】
【請求項１】
所定の部品の取り付けに用いられ、端面がハット形状である部品取付ブラケットであって、
前記端面を被覆する蓋部材を有し、
前記蓋部材は、前記端面から延出し、前記部品から遠ざかる方向に湾曲した湾曲部を有する、
部品取付ブラケット。
【請求項２】
前記部品取付ブラケットは、Ｌ字型である、
請求項１に記載の部品取付ブラケット。
【請求項３】
前記部品は、車両に搭載される部品である、
請求項１または２に記載の部品取付ブラケット。
【請求項４】
前記部品は、液体または気体を貯留するタンクである、
請求項３に記載の部品取付ブラケット。
【発明の詳細な説明】
【技術分野】
【０００１】
本発明は、部品を取り付ける部品取付ブラケットに関する。
【背景技術】
【０００２】
例えば特許文献１には、車両に搭載される部品（以下、車載部品という）を取り付けるブラケットとして、ハット状の横断面を有するＬ字型ブラケットが開示されている。このＬ字型ブラケットは、車両のシャシフレームに固定され、燃料タンク（車載部品の一例）を取り付ける。
【先行技術文献】
【特許文献】
【０００３】
【特許文献１】特開平１１−２７８０６９号公報
【発明の概要】
【発明が解決しようとする課題】
【０００４】
このような車載部品を取り付けるためのブラケットには、安全性の面で、強度を確保することが望まれる。
【０００５】
本発明の目的は、強度をより確保できる部品取付ブラケットを提供することである。
【課題を解決するための手段】
【０００６】
本発明の部品取付ブラケットは、所定の部品の取り付けに用いられ、端面がハット形状である部品取付ブラケットであって、前記端面を被覆する蓋部材を有し、前記蓋部材は、前記端面から延出し、前記部品から遠ざかる方向に湾曲した湾曲部を有する。
【発明の効果】
【０００７】
本発明によれば、強度をより確保することができる。
【図面の簡単な説明】
【０００８】
【図１】本発明の実施の形態に係る部品取付ブラケットおよび燃料タンクの外観を示す斜視図
【図２】本発明の実施の形態に係る部品取付ブラケットおよび燃料タンクの外観を示す平面図
【図３】本発明の実施の形態に係る蓋部材の外観を示す斜視図
【発明を実施するための形態】
【０００９】
以下、本発明の実施の形態について、図面を参照して詳細に説明する。
【００１０】
まず、本発明の実施の形態に係る部品取付ブラケット１とその周辺の構成について、図１および図２を用いて説明する。本実施の形態では、部品取付ブラケット１によって取り付けられる部品が燃料タンク３（車載部品の一例）である場合を例に挙げて説明する。
【００１１】
図１は、本実施の形態に係る部品取付ブラケット１および燃料タンク３の外観を示す斜視図である。図２は、本実施の形態に係る部品取付ブラケット１および燃料タンク３の外観を示す平面図である。
【００１２】
図１に示すように、部品取付ブラケット１は、金属製の長尺板材をＬ字型に曲折した部材である。
【００１３】
また、図１および図２に示すように、部品取付ブラケット１の端面ａ（図１の破線で囲まれた面）は、ハット形状である。なお、部品取付ブラケット１の横断面も、ハット形状である。
【００１４】
部品取付ブラケット１は、シャシフレームのサイドメンバ２の側面にボルト等（図示略）により固定される。サイドメンバ２は、車両の前後方向（図１、図２に示す矢印Ａ）に沿って配置される。
【００１５】
部品取付ブラケット１は、車両の前後方向と直交する車幅方向（図１、図２に示す矢印Ｂ）に沿って配設される。
【００１６】
図１および図２では図示を省略しているが、部品取付ブラケット１には、その端面ａに蓋部材８（図３参照）が設けられる。この蓋部材８については図３を用いて後述する。
【００１７】
燃料を貯留する燃料タンク３は、バンド４によって部品取付ブラケット１に固定される。バンド４は、例えば金属製の長尺部材であり、図２に示すように、基端側に係止部５（図１では図示略）を有し、先端側にネジ部６（図１では図示略）を有する。
【００１８】
係止部５は、部品取付ブラケット１に係着される。一方、ネジ部６は、部品取付ブラケット１に挿入され、ナット７等により締結される。このようにして、燃料タンク３は、部品取付ブラケット１に固定される。
【００１９】
次に、部品取付ブラケット１に設けられる蓋部材８について、図３を用いて説明する。
【００２０】
図３は、本実施の形態に係る蓋部材８の外観を示す斜視図である。
【００２１】
図３に示すように、蓋部材８は、取付ブラケット１のハット形状の端面ａを被覆する部材である。
【００２２】
蓋部材８は、その一部が、ハット形状の端面ａから延出し、図１に示した燃料タンク３から遠ざかる方向に湾曲した湾曲部９を有する。
【００２３】
以上説明したように、本実施の形態の部品取付ブラケット１によれば、部品取付ブラケット１の端面ａを被覆する蓋部材８に、端面ａから延出し、燃料タンク３から遠ざかる方向に湾曲した湾曲部９が形成されている。よって、部品取付ブラケット１の強度をより確保できる。
【００２４】
また、部品取付ブラケット１の近傍には、燃料の流路であるタンクホース（図示略）が存在するが、本実施の形態の部品取付ブラケット１によれば、蓋部材８に湾曲部９が形成されているので、タンクホースが湾曲部９に接触しても、タンクホースを傷付けることがない。
【００２５】
以上、本発明の実施の形態について詳述してきたが、本発明は、上述の実施の形態に限定されるものではなく、本発明の趣旨を逸脱しない範囲で、適宜変形して実施することが可能である。
【００２６】
例えば、部品取付ブラケット１により取り付けられる部品は、燃料タンク３に限定されず、例えば、エアタンク、還元剤タンクなどの他の車載部品であってもよい。また、部品取付ブラケット１により取り付けられる部品は、車載部品に限定されない。
【００２７】
＜本開示のまとめ＞
本発明の部品取付ブラケットは、所定の部品の取り付けに用いられ、端面がハット形状である部品取付ブラケットであって、前記端面を被覆する蓋部材を有し、前記蓋部材は、前記端面から延出し、前記部品から遠ざかる方向に湾曲した湾曲部を有する。
【００２８】
なお、上記部品取付ブラケットにおいて、前記部品取付ブラケットは、Ｌ字型であってもよい。
【００２９】
また、上記部品取付ブラケットにおいて、前記部品は、車両に搭載される部品であってもよい。
【００３０】
また、上記部品取付ブラケットにおいて、前記部品は、液体または気体を貯留するタンクであってもよい。
【産業上の利用可能性】
【００３１】
本発明は、部品を取り付ける部品取付ブラケットに適用できる。
【符号の説明】
【００３２】
１  部品取付ブラケット
２  サイドメンバ
３  燃料タンク
４  バンド
５  係止部
６  ネジ部
７  ナット
８  蓋部材
９  湾曲部
【図１】
2018114883.tif 000003
【図２】
2018114883.tif 000004
【図３】
2018114883.tif 000005